(57)【特許請求の範囲】
【請求項１】
洗濯兼脱水槽の底部に回転自在に配設したパルセーターと、このパルセーターの裏羽根の外周に形成したポンプ室と、このポンプ室によって洗濯兼脱水槽内の洗濯水を洗濯兼脱水槽上部に送水する送水路と、この送水路に設けた散水口と、前記パルセーター上方部を覆うように配設した仕切り体と、前記パルセーターの駆動を制御するパルセーター制御手段と、前記洗濯兼脱水槽内に給水する給水弁の開閉を制御する給水弁制御手段と、前記洗濯兼脱水槽内の水位を検知する水位検知手段とを備え、前記給水弁制御手段は、設定水位までの給水途中において、前記水位検知手段が前記設定水位より低く前記仕切り板上に設置した衣類の下部に洗濯水が浸透する水位である所定水位を検知した段階で給水弁を一時停止させるとともに、前記パルセーター制御手段にて所定時間パルセーターを間欠駆動するよう構成した洗濯機。
【請求項２】
パルセーター制御手段は、散水口より洗濯兼脱水槽内の洗濯水を散水しない第１駆動時限と散水口より洗濯水を散水する第２駆動時限とを有し、給水弁制御手段による給水停止時でのパルセーター間欠駆動時には、第１駆動時限で所定時間駆動した後に第２駆動時限で所定時間駆動するよう構成した請求項１記載の洗濯機。
【請求項３】
洗濯兼脱水槽の底部に回転自在に配設したパルセーターと、このパルセーターの裏羽根の外周に形成したポンプ室と、このポンプ室によって洗濯兼脱水槽内の洗濯水を洗濯兼脱水槽上部に送水する送水路と、この送水路に設けた散水口と、前記パルセーター上方部を覆うように配設した仕切り体と、前記パルセーターの駆動を制御するパルセーター制御手段と、前記洗濯兼脱水槽内に給水する給水弁の開閉を制御する給水弁制御手段と、前記洗濯兼脱水槽内の水位を検知する水位検知手段とを備え、前記給水弁制御手段は、設定水位までの給水途中において、前記水位検知手段が前記設定水位より低い複数の所定水位を検知した段階で給水弁を一時停止させるとともに、前記パルセーター制御手段にて所定時間パルセーターを間欠駆動するようにし、初回の給水停止が前記仕切り体の設置高さより低い水位になるよう構成した洗濯機。
【発明の詳細な説明】
【０００１】
【発明の所属する技術分野】
本発明は、パルセーターの駆動によって生じる循環水流で衣類を洗濯する洗濯機に関する。
【０００２】
【従来の技術】
従来、洗濯機はパルセーター式が主流であり、洗濯兼脱水槽に衣類を投入した後、所定量の水と洗剤を投入し、パルセーターを回転させて衣類と水を攪拌し、洗剤を溶解しながら衣類の汚れに作用させるとともに、衣類相互間を摩擦させたり、または衣類と洗濯兼脱水槽の内壁面およびパルセーター表面とを摩擦させて汚れの除去を行っていた。
【０００３】
しかし、この方式では洗濯物が傷むという問題や、水や洗剤を多量に使うなどの問題を有していた。発明者らは、これらの課題を解決するために、図１１に示すような洗濯機を提案している。以下、その構成について説明する。
【０００４】
図１１に示すように、水受け槽１は、底部にパルセーター２を回転自在に配設した洗濯兼脱水槽３を内包し、吊り棒４により洗濯機外枠５に吊り下げている。送水路カバー６は、洗濯兼脱水槽３の内面に複数個設けてあり、洗濯兼脱水槽３との間で複数の送水路７を形成している。パルセーター２の裏面には裏羽根８を一体に形成し、裏羽根８の外周にはこれを覆うようにポンプ室９が形成され、複数の送水路７に連通している。
【０００５】
複数の送水路７の上部には洗濯兼脱水槽３の内部に向けて開口した散水口１０を複数設け、パルセーター２の上方部には多数の孔１１を有する仕切り体１２を着脱自在に設けている。モータ１３は、Ｖベルト１４および減速機構兼クラッチ１５を介して、パルセーター２または洗濯兼脱水槽３を駆動する。排水弁１６は洗濯兼脱水槽３内の洗濯水を排水し、給水弁１７は洗濯兼脱水槽３内に給水するものである。洗濯兼脱水槽３には脱水時の振動を低減させるための流体バランサー１８を設け、洗濯兼脱水槽３の上部を蓋１９で覆っている。
【０００６】
制御装置２０は、モータ１３、排水弁１６、給水弁１７などを制御して、洗濯、すすぎ、脱水の各行程を逐次制御するものである。洗濯物２１は、仕切り体１２の上に設置されており、パルセーター２と直接接触することはない。
【０００７】
上記構成において、制御装置２０によりモータ３を駆動してパルセーター２を回転すると、仕切り体１２の略中央部に下方に向けての水流２２が発生すると同時に、複数の散水口１０から滝状に洗濯水２３が散水されて洗濯水の循環が行われる。この循環される洗濯水は洗濯物２１を通過するためこの循環の繰り返しによって洗濯物２１の洗浄が行われる。
【０００８】
【発明が解決しようとする課題】
このような洗濯機においては、洗濯水により衣類をまんべんなく濡らして衣類全面を洗濯水が通過することが要求される。しかし、洗濯する衣類がウールなどのはっ水性の高い繊維からなる場合には、洗濯水が浸透しにくく、そのため、衣類をまんべんなく濡らすことが困難で、循環される洗濯水が衣類の汚れに作用しない場合があり、洗浄性能が悪くなるという問題を有していた。
【０００９】
また、洗濯する衣類がウールなどのはっ水性の高い繊維からなる場合には、洗濯水が浸透しにくいため、仕切り体１２の上方に浮き上がり、パルセーター２の回転による水流によって仕切り体１２の上方で回転し、洗濯兼脱水槽３の内壁面、仕切り体１２の上面などに衝突することによる機械力を受け、フェルト化するという問題を有していた。
【００１０】
また、粉末洗剤を使用したときは、粉末洗剤の溶け残りが発生しやすいため、溶け残りを含有した洗濯水を循環したとき、仕切り体１２上の衣類の上面に残留し、衣類の有効に働く洗剤の量が少なくなり、洗浄性能が悪くなるという問題を有していた。
【００１１】
本発明は上記課題を解決するもので、ウールなどのはっ水性の高い繊維からなる衣類であっても衣類内部まで洗濯水が浸透し、洗濯水の通過および循環が充分に行なえるようにし、汚れを除去できるようにすることを第１の目的としている。
【００１２】
【課題を解決するための手段】
本発明の洗濯機における第１の手段は、洗濯兼脱水槽の底部にパルセーターを回転自在に配設し、パルセーターの裏羽根の外周にポンプ室を形成し、ポンプ室によって洗濯兼脱水槽内の洗濯水を散水口を設けた送水路を通して洗濯兼脱水槽の上部に送水し、パルセーターの上方を覆うように仕切り体を配設するとともに、給水弁制御手段により、設定水位までの給水途中に水位検知手段が設定水位より低く仕切り板上に設置した衣類の下部に洗濯水が浸透する水位である所定水位を検知した段階で給水弁を一時停止させ、パルセーター制御手段にて所定時間パルセーターを間欠駆動するよう構成したものである。
【００１３】
これにより、高濃度の洗濯水が衣類の下面から徐々に浸透していくとともに、パルセーターの駆動によって生じる水の振動によって衣類間の空気だまりが排除されるため、ウールなどのはっ水性の高い繊維からなる衣類であっても衣類内部まで洗濯水を浸透させることができ、洗濯水の通過および循環を充分に行なうことができて、汚れを除去することができる。
【００１４】
【発明の実施の形態】
本発明の請求項１に記載の発明は、洗濯兼脱水槽の底部に回転自在に配設したパルセーターと、このパルセーターの裏羽根の外周に形成したポンプ室と、このポンプ室によって洗濯兼脱水槽内の洗濯水を洗濯兼脱水槽上部に送水する送水路と、この送水路に設けた散水口と、前記パルセーター上方部を覆うように配設した仕切り体と、前記パルセーターの駆動を制御するパルセーター制御手段と、前記洗濯兼脱水槽内に給水する給水弁の開閉を制御する給水弁制御手段と、前記洗濯兼脱水槽内の水位を検知する水位検知手段とを備え、前記給水弁制御手段は、設定水位までの給水途中において、前記水位検知手段が前記設定水位より低く前記仕切り板上に設置した衣類の下部に洗濯水が浸透する水位である所定水位を検知した段階で給水弁を一時停止させるとともに、前記パルセーター制御手段にて所定時間パルセーターを間欠駆動するよう構成したものであり、洗濯水は衣類の下部から浸透していくとともに、衣類の間に空気だまりを巻き込むこともないため、ウールなどのはっ水性の高い繊維からなる衣類であっても、衣類内部まで洗濯水を浸透させることができ、循環する洗濯水が衣類の汚れに作用し、きれいに洗うことができる。
【００１５】
請求項２に記載の発明は、上記請求項１に記載の発明において、パルセーター制御手段は、散水口より洗濯兼脱水槽内の洗濯水を散水しない第１駆動時限と散水口より洗濯水を散水する第２駆動時限とを有し、給水弁制御手段による給水停止時でのパルセーター間欠駆動時には、第１駆動時限で所定時間駆動した後に第２駆動時限で所定時間駆動するよう構成したものであり、第１駆動時限で給水した水に洗剤を溶解して洗濯水とした後に、第２駆動時限で衣類上部から散水口より洗濯水を衣類に十分供給し、浸透させて衣類の浮きを防止することができ、パルセーターの回転によって衣類が回転することがなく、衣類の傷みをなくすることができる。
【００１６】
請求項３に記載の発明は、洗濯兼脱水槽の底部に回転自在に配設したパルセーターと、このパルセーターの裏羽根の外周に形成したポンプ室と、このポンプ室によって洗濯兼脱水槽内の洗濯水を洗濯兼脱水槽上部に送水する送水路と、この送水路に設けた散水口と、前記パルセーター上方部を覆うように配設した仕切り体と、前記パルセーターの駆動を制御するパルセーター制御手段と、前記洗濯兼脱水槽内に給水する給水弁の開閉を制御する給水弁制御手段と、前記洗濯兼脱水槽内の水位を検知する水位検知手段とを備え、前記給水弁制御手段は、設定水位までの給水途中において、前記水位検知手段が前記設定水位より低い複数の所定水位を検知した段階で給水弁を一時停止させるとともに、前記パルセーター制御手段にて所定時間パルセーターを間欠駆動するようにし、初回の給水停止が前記仕切り体の設置高さより低い水位になるよう構成したものであり、給水した水を洗濯水にする途中で、洗濯水を循環することがなく、溶け残りを含有した洗濯水を循環することにより仕切り体上の衣類の上面に溶け残りが残留することがなく、洗浄性能を向上することができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、制御装置２４は、パルセーター２の駆動を制御するパルセーター制御手段２５、給水弁１７の開閉を制御する給水弁制御手段２６、洗濯時間を制御する洗濯時間制御手段２７、脱水力を制御する脱水制御手段２８を介してモータ１３、排水弁１６、給水弁１７を制御し、洗濯、すすぎ、脱水の各行程を逐次制御する。また、水位検知手段２９は洗濯兼脱水槽３内の水位を検知するもので、水温検知手段３０は洗濯兼脱水槽３内の水温を検知するもので、それぞれの検知した情報を制御装置２４に入力している。
【００１９】
給水弁制御手段２６は、設定水位までの給水途中において、水位検知手段２９が設定水位より低い複数の所定水位を検知した段階で給水弁１７を一時停止させるとともに、パルセーター制御手段２５にて所定時間パルセーターを間欠駆動するよう構成している。
【００２０】
上記構成において図２を参照しながら動作を説明すると、まず、ステップ３１で洗剤を洗濯兼脱水槽３に投入し、ステップ３２で仕切り体１２を洗濯兼脱水槽３内の所定の位置にセットした後、ステップ３３で衣類２１を仕切り体１２の上部にセットする。次に、ステップ３４で制御装置２４に設けた水位設定スイッチ（図示せず）により洗濯水位を設定し、ステップ３５でスタートスイッチ（図示せず）を押し洗濯を開始する。このとき、水位設定をどの水位とするかによって１つもしくは複数の所定水位が同時に設定されることになる。以降の説明は所定水位を２つ有する場合について述べる。
【００２１】
スタートスイッチを押すことにより、ステップ３６で制御装置２４は給水弁制御手段２６に信号を送り、給水弁１７をオンにして洗濯兼脱水槽３内に水を給水する。ステップ３７では水位検知手段２９により洗濯兼脱水槽３内の水位を検知し、水位設定で設定された第１の所定水位に達したかを判定する。第１の所定水位に達していればステップ３８で給水弁１７をオフにし、ステップ３９で所定時間パルセーター２を間欠駆動し、その後、ステップ４０で給水弁１７を再度オンにして給水を行う。
【００２２】
ステップ４１では水位検知手段２９により第２の所定水位に達したかを判定する。第２の所定水位に達していればステップ４２で給水弁１７をオフにし、ステップ４３で所定時間パルセーター２を間欠駆動し、その後、ステップ４４で給水弁１７を再度オンにして給水を行う。つぎに、ステップ４５で水位検知手段２９により設定水位に達したかを判定する。設定水位に達していればステップ４６で給水弁１７をオフにし、ステップ４７で洗濯を開始する。
【００２３】
以上のように、洗濯時の設定水位までに設けた複数の所定水位でパルセーター２を間欠駆動することにより、投入した洗剤と水を攪拌して均一な洗濯水としながら衣類の下部より洗濯水を浸透させることができ、また、間欠駆動による水の動きで衣類間の空気を追い出し、空気だまりが発生するのを防止することができ、循環する洗濯水を衣類にまんべんなく浸透させることができて衣類の汚れに作用し、きれいに洗うことができる。
【００２４】
（実施例２）
図１におけるパルセーター制御手段２５は、図３（ａ）に示すように、短いパルセーターのオン時間と比較的短いオフ時間による小刻みな反転時限から構成され、散水口１０より洗濯兼脱水槽３内の洗濯水を散水しない第１駆動時限と、図３（ｂ）に示すように、散水口１０より洗濯水を十分散水されるオン時間とした反転時間で構成した第２駆動時限とを有し、給水弁制御手段２６による給水停止時でのパルセーター２の間欠駆動時には、第１駆動時限で所定時間駆動した後に第２駆動時限で所定時間駆動するよう構成している。他の構成は上記実施例１と同じである。
【００２５】
上記構成において動作を説明すると、洗濯兼脱水槽３内に投入した洗剤と水を図３（ａ）に示した第１駆動時限により攪拌して、均一な洗濯水とすることができ、この第１駆動時限でつくられた洗濯水を第２駆動時限で衣類の上部から散水口１０より供給することができ、粉末洗剤を使用した場合でも、粉末洗剤の溶け残りが発生することがなく、洗濯水が衣類に有効に働いて、洗浄性能を向上することができる。
【００２６】
（実施例３）
図１におけるパルセーター制御手段２５は、給水途中の所定水位で第１駆動時限および第２駆動時限にて所定時間パルセーター２を駆動した後、つぎの所定水位までの給水中に第１駆動時限のみで駆動するよう構成している。他の構成は上記実施例１または２と同じである。
【００２７】
上記構成において図４を参照しながら動作を説明する。なお、ステップ３７からステップ４７は上記実施例１の動作と同じであるので説明を省略する。
【００２８】
ステップ４０の第１の所定水位から第２の所定水位までの給水途中の間に、ステップ５０にてパルセーター２を第１駆動時限にて駆動し、給水した水を給水と同時に攪拌して洗濯兼脱水槽３内の洗濯水を素早く均一な洗濯水とすることができる。したがって、給水された水を給水と同時に攪拌して洗濯兼脱水槽内の洗濯水を素早く均一な洗濯水とすることができ、粉末洗剤を使用した場合でも、粉末洗剤の溶け残りが発生することがなく、洗濯水が衣類に有効に働いて、洗浄性能を向上することができる。
【００２９】
（実施例４）
図１における給水弁制御手段２６は、初回の給水停止（第１所定水位）が仕切り体１２の設置高さより低い水位になるよう構成している。他の構成は上記実施例１〜３と同じである。
【００３０】
図５は設定水位と所定水位との関係を示しており、図５に示すように、第１の所定水位Ｐ１、第２の所定水位Ｐ２、第３の所定水位Ｐ３は一定の間隔で設定され、第１の所定水位Ｐ１は仕切り体１２の設置高さより低い水位になるようしている。ＰＳ１、ＰＳ２、ＰＳ３はそれぞれ第１の設定水位、第２の設定水位、第３の設定水位である。
【００３１】
上記構成において動作を説明すると、洗濯時の設定水位までに設けた所定水位でパルセーター２を間欠駆動することにより、投入した洗剤と水を攪拌して均一な洗濯水とするとき、第１の所定水位Ｐ１を仕切り体１２の設置高さより低い水位になるようすることによって、給水した水を洗濯水にする途中で、洗濯水を循環することがなく、溶け残りを含有した洗濯水を循環することにより仕切り体上の衣類の上面に溶け残りが残留することがなく、洗浄性能を向上することができる。
【００３２】
（実施例５）
図１におけるパルセーター制御手段２５は、図６（ａ）に示すようなオン時間がオフ時間より長い第３駆動時限と、図６（ｂ）に示すようなオン時間がオフ時間より短い第４駆動時限を有し、水温検知手段３０の判定により第３駆動時限と第４駆動時限の洗濯行程での駆動比率を決定するよう構成している。他の構成は上記実施例１と同じである。
【００３３】
上記構成において図７および図８を参照しながら動作を説明する。パルセーター２を第３駆動時限で駆動すると、１反転サイクル当たりのオン時間がオフ時間より長いため、散水口１０から多量の洗濯水を散水させることができ、また、パルセーター２を第４駆動時限で駆動すると、１反転サイクル当たりのオン時間がオフ時間より短いため、散水口１０から少量の洗濯水を散水させることができる。
【００３４】
図７のステップ４７で洗濯を開始し、ステップ４９でパルセーター２を駆動する。ステップ５０で水温検知手段３０により洗濯兼脱水槽３内の水温を検知し、水温が基準値より低い場合はステップ５１へ進み、図８（ａ）に示すような第１駆動比率でパルセーター２を駆動し、水温が基準値より高い場合は、ステップ５２へ進み、図８（ｂ）に示すような第２駆動比率でパルセーター２を駆動する。
【００３５】
図８（ａ）に示す第１駆動比率は、第３駆動時限での駆動を第４駆動時限での駆動より長くなるよう構成しており、水温が基準値より低い場合は、散水口１０からの散水量を多くしても洗濯兼脱水槽３内の泡立ちが低くなるため、第３駆動時限で駆動してトータル散水量を多くし、洗浄性能を高くすることができる。
【００３６】
図８（ｂ）に示す第２駆動比率は、第３駆動時限での駆動を第４駆動時限での駆動より短くなるよう構成しており、水温が基準値より高い場合は、散水口１０からの散水量が多いと洗濯兼脱水槽３内の泡立ちが高くなるため、第４駆動時限で駆動してトータル散水量を低くし、泡立ちを一定の水準以下とすることができる。
【００３７】
以上のように、洗濯行程での駆動比率の決定を洗濯兼脱水槽３内の水温判定によって行い、洗濯兼脱水槽３内の泡立ちを実用上支障のない水準にするとともに、水温が低い場合でも安定した洗浄性能を確保することができる。
【００３８】
（実施例６）
図１における洗濯時間制御手段２７は、水温検知手段３０の判定により洗濯時間を延長するとともに、その延長時間においてパルセーター制御手段２５は第３駆動時限でパルセーター２を駆動するよう構成している。他の構成は上記実施例５と同じである。
【００３９】
上記構成において図９を参照しながら動作を説明する。ステップ４７で洗濯を開始し、ステップ４９でパルセーター２を駆動する。ステップ５３で所定の洗濯時間が経過するとステップ５４へ進み、水温検知手段３０により洗濯兼脱水槽３内の水温を検知する。ステップ５４で水温検知手段３０により検知した水温が基準値より低い場合はステップ５５へ進み、洗濯時間を所定時間延長してパルセーター２を駆動する。このとき、パルセーター制御手段２５は第３駆動時限でパルセーター２を駆動する。したがって、洗濯兼脱水槽３内の水温が水温低い場合であっても、安定した洗浄性能を確保することができる。
【００４０】
（実施例７）
図１における脱水制御手段２８は、間欠脱水のオン時間が異なる複数の制御パターンを有し、水温検知手段３０の判定により制御パターンを決定するよう構成している。他の構成は上記実施例１と同じである。
【００４１】
上記構成において図１０を参照しながら動作を説明する。ステップ５６で洗濯を終了し、ステップ５７で排水弁１６をオンして排水を開始する。ステップ５８で、水温検知手段３０により検知した洗濯兼脱水槽３内の水温を判定し、Ｔ１（たとえば、１５℃）より高いときはステップ５９に進み、脱水制御手段２８を第１脱水制御パターンで制御する。ステップ５８で水温がＴ１より低いときはステップ６０に進み、水温がＴ２（たとえば、５℃）より高いときはステップ６１に進み、脱水制御手段２８を第２脱水制御パターンで制御する。ステップ６０で水温がＴ２より低いときはステップ６２に進み、脱水制御手段２８を第３脱水制御パターンで制御する。そのご、ステップ６３で排水弁１６をオフする。
【００４２】
第１脱水制御パターンは、洗濯検脱水槽３を２．５秒オン−５秒オフで駆動し、第２脱水制御パターンは、洗濯検脱水槽３を３秒オン−５秒オフで駆動し、第３脱水制御パターンは、洗濯検脱水槽３を３．５秒オン−５秒オフで駆動する。したがって、水温によって衣類の含水率が異なる場合においても、脱水回転数をほぼ一定とすることができ、安定した脱水性能を確保することができる。
【００４３】
【発明の効果】
以上のように本発明の請求項１に記載の発明によれば、洗濯兼脱水槽の底部に回転自在に配設したパルセーターと、このパルセーターの裏羽根の外周に形成したポンプ室と、このポンプ室によって洗濯兼脱水槽内の洗濯水を洗濯兼脱水槽上部に送水する送水路と、この送水路に設けた散水口と、前記パルセーター上方部を覆うように配設した仕切り体と、前記パルセーターの駆動を制御するパルセーター制御手段と、前記洗濯兼脱水槽内に給水する給水弁の開閉を制御する給水弁制御手段と、前記洗濯兼脱水槽内の水位を検知する水位検知手段とを備え、前記給水弁制御手段は、設定水位までの給水途中において、前記水位検知手段が前記設定水位より低く前記仕切り板上に設置した衣類の下部に洗濯水が浸透する水位である所定水位を検知した段階で給水弁を一時停止させるとともに、前記パルセーター制御手段にて所定時間パルセーターを間欠駆動するよう構成したから、衣類がウールなどのはっ水性繊維で構成されていても、洗濯水を衣類の下部から浸透させるとともに、衣類の間に空気だまりを巻き込むこともないため、洗濯水を衣類にまんべんなく浸透させることができ、循環する洗濯水が衣類の汚れに作用し、きれいに洗うことができる。
【００４４】
また、請求項２に記載の発明によれば、パルセーター制御手段は、散水口より洗濯兼脱水槽内の洗濯水を散水しない第１駆動時限と散水口より洗濯水を散水する第２駆動時限とを有し、給水弁制御手段による給水停止時でのパルセーター間欠駆動時には、第１駆動時限で所定時間駆動した後に第２駆動時限で所定時間駆動するよう構成したから、均一に溶解した洗濯水を衣類上部から散水して衣類に十分に浸透させて重くすることにより、ウールなどのはっ水性繊維からなる衣類であっても水位の上昇とともに衣類が浮かび上がることがないため、パルセーターの回転によって衣類が回転することがなく、衣類の傷みをなくすることができる。
【００４５】
また、請求項３に記載の発明によれば、洗濯兼脱水槽の底部に回転自在に配設したパルセーターと、このパルセーターの裏羽根の外周に形成したポンプ室と、このポンプ室によって洗濯兼脱水槽内の洗濯水を洗濯兼脱水槽上部に送水する送水路と、この送水路に設けた散水口と、前記パルセーター上方部を覆うように配設した仕切り体と、前記パルセーターの駆動を制御するパルセーター制御手段と、前記洗濯兼脱水槽内に給水する給水弁の開閉を制御する給水弁制御手段と、前記洗濯兼脱水槽内の水位を検知する水位検知手段とを備え、前記給水弁制御手段は、設定水位までの給水途中において、前記水位検知手段が前記設定水位より低い複数の所定水位を検知した段階で給水弁を一時停止させるとともに、前記パルセーター制御手段にて所定時間パルセーターを間欠駆動するようにし、初回の給水停止が前記仕切り体の設置高さより低い水位になるよう構成したから、給水した水を洗濯水にする途中で、洗濯水を循環することがなく、溶け残りを含有した洗濯水を循環することにより仕切り体上の衣類の上面に溶け残りが残留することがなく、洗浄性能を向上することができる。
【図面の簡単な説明】
【図１】  本発明の第１の実施例の洗濯機のシステム構成図
【図２】  同洗濯機の給水行程の動作フローチャート
【図３】  （ａ）本発明の第２の実施例の洗濯機の第１駆動時限のタイムチャート
（ｂ）同洗濯機の第２駆動時限のタイムチャート
【図４】  本発明の第３の実施例の洗濯機の給水行程の要部動作フローチャート
【図５】  本発明の第４の実施例の洗濯機の縦断面図
【図６】  （ａ）本発明の第５の実施例の洗濯機の第３駆動時限のタイムチャート
（ｂ）同洗濯機の第４駆動時限のタイムチャート
【図７】  同洗濯機の洗濯行程の動作フローチャート
【図８】  （ａ）同洗濯機の洗濯行程のパルセーターの第１駆動比率による行程図
（ｂ）同洗濯機の洗濯行程のパルセーターの第２駆動比率による行程図
【図９】  本発明の第６の実施例の洗濯機の洗濯行程の要部動作フローチャート
【図１０】  本発明の第７の実施例の洗濯機の脱水行程の要部動作フローチャート
【図１１】  従来の洗濯機の縦断面図
【符号の説明】
２  パルセーター
３  洗濯兼脱水槽
７  送水路
８  裏羽根
９  ポンプ室
１０  散水口
１２  仕切り体
１７  給水弁
２５  パルセーター制御手段
２６  給水弁制御手段
２９  水位検知手段
【図１】
0003726331.tif 000002
【図２】
0003726331.tif 000003
【図３】
0003726331.tif 000004
【図４】
0003726331.tif 000005
【図５】
0003726331.tif 000006
【図６】
0003726331.tif 000007
【図７】
0003726331.tif 000008
【図８】
0003726331.tif 000009
【図９】
0003726331.tif 000010
【図１０】
0003726331.tif 000011
【図１１】
0003726331.tif 000012